(57)【要約】【課題】ネットワーク内のｍａｃフレームが通過するエッジ装置や中継装置間の接続の正常性や伝送品質をチェック可能なネットワークを提供する。【解決手段】送信側のエッジ装置２はユーザ端末１−１からのｍａｃフレームの受信側のエッジ装置６までのパスを監視するために、Ｅｔｈｅｒ（Ｒ）パスＩＤを含む特殊固定長ブロックを生成し、自装置と中継装置３との間のパスを監視するためにセグメントパスＩＤを含む多重フレームヘッダを生成して装置内フォーマットのｍａｃフレームを生成して中継装置３へ送出する。中継装置３では受信したｍａｃフレームの多重フレームヘッダを参照してセグメントパスＩＤを検証して装置間接続の正常性を判定し、特殊固定長ブロックをモニタしてＥｔｈｅｒ（Ｒ）パスＩＤによって自装置を経由することが正しいかどうかを判定し、Ｅｔｈｅｒ（Ｒ）パスの正常性を判定する。【選択図】      図１
2004328173.tif 000002
【特許請求の範囲】
【請求項１】
送信側のエッジ装置から受信側のエッジ装置に到達するまでに経由する中継装置が固定であり、ユーザ端末からのデータフレーム毎に動的に変更されずに固定帯域が確保されるネットワークであって、
多重された固定長ブロックに対して送出元の中継装置を認識するための第１の識別情報とエラー検出符号とが搭載された多重フレームヘッダを付加する多重フレームヘッダ付加手段と、前記多重フレームヘッダ付加手段にて付加された前記多重フレームヘッダを監視する多重フレームヘッダ終端手段とを前記中継装置に有することを特徴とするネットワーク。
【請求項２】
前記ユーザ端末からの前記データフレームを分割して前記固定長ブロックを生成しかつ前記ユーザ端末からのデータフレームのネットワーク内のパスを示す第２の識別情報及び前記送信側のエッジ装置の警報情報を少なくとも収容する特殊固定長ブロックの生成を行う固定長ブロック生成手段を前記送信側のエッジ装置に含み、
前記固定長ブロック生成手段で生成された固定長ブロックを監視しかつ前記パス単位に接続の正常性と伝送品質とを監視する監視手段を前記中継装置及び前記受信側のエッジ装置に含むことを特徴とする請求項１記載のネットワーク。
【請求項３】
前記中継装置間の通信をＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）網を介して通信することを特徴とする請求項１または請求項２記載のネットワーク。
【請求項４】
前記ＳＯＮＥＴ／ＳＤＨ網への入力側において前記第２の識別情報をＰａｔｈ  Ｔｒａｃｅ  ＩＤに付け替え、前記ＳＯＮＥＴ／ＳＤＨ網からの出力側において前記Ｐａｔｈ  Ｔｒａｃｅ  ＩＤを前記第２の識別情報に付け替えることを特徴とする請求項３記載のネットワーク。
【請求項５】
送信側のエッジ装置から受信側のエッジ装置に到達するまでに経由するパスが固定であり、ユーザ端末からのデータフレーム毎に動的に変更されずに固定帯域が確保されるネットワークの中継装置であって、
多重された固定長ブロックに対して送出元のパスを認識するための第１の識別情報とエラー検出符号とが搭載された多重フレームヘッダを付加する多重フレームヘッダ付加手段と、前記多重フレームヘッダ付加手段にて付加された前記多重フレームヘッダを監視する多重フレームヘッダ終端手段とを有することを特徴とする中継装置。
【請求項６】
前記送信側のエッジ装置に設けられ、前記ユーザ端末からの前記データフレームを分割して前記固定長ブロックを生成しかつ前記ユーザ端末からのデータフレームのネットワーク内のパスを示す第２の識別情報及び前記送信側のエッジ装置の警報情報を少なくとも収容する特殊固定長ブロックの生成を行う固定長ブロック生成手段で生成された固定長ブロックを監視するとともに、前記パス単位に接続の正常性と伝送品質とを監視する監視手段を含むことを特徴とする請求項５記載の中継装置。
【請求項７】
他装置間の通信をＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）網を介して通信することを特徴とする請求項５または請求項６記載の中継装置。
【請求項８】
前記ＳＯＮＥＴ／ＳＤＨ網への入力側において前記第２の識別情報をＰａｔｈ  Ｔｒａｃｅ  ＩＤに付け替え、前記ＳＯＮＥＴ／ＳＤＨ網からの出力側において前記Ｐａｔｈ  Ｔｒａｃｅ  ＩＤを前記第２の識別情報に付け替えることを特徴とする請求項７記載の中継装置。
【請求項９】
送信側のエッジ装置から受信側のエッジ装置に到達するまでに経由する中継装置が固定であり、ユーザ端末からのデータフレーム毎に動的に変更されずに固定帯域が確保されるネットワークのパス管理方法であって、
前記中継装置において、多重された固定長ブロックに対して送出元の中継装置を認識するための第１の識別情報とエラー検出符号とが搭載された多重フレームヘッダを付加し、その付加された前記多重フレームヘッダを監視することを特徴とするパス管理方法。
【請求項１０】
前記送信側のエッジ装置において、前記ユーザ端末からの前記データフレームを分割して前記固定長ブロックを生成しかつ前記ユーザ端末からのデータフレームのネットワーク内のパスを示す第２の識別情報及び前記送信側のエッジ装置の警報情報を少なくとも収容する特殊固定長ブロックの生成を行い、
前記中継装置及び前記受信側のエッジ装置において、この生成された固定長ブロックを監視しかつ前記パス単位に接続の正常性と伝送品質とを監視することを特徴とする請求項９記載のパス管理方法。
【請求項１１】
前記中継装置間の通信をＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）網を介して通信することを特徴とする請求項９または請求項１０記載のパス管理方法。
【請求項１２】
前記ＳＯＮＥＴ／ＳＤＨ網への入力側において前記第２の識別情報をＰａｔｈ  Ｔｒａｃｅ  ＩＤに付け替え、前記ＳＯＮＥＴ／ＳＤＨ網からの出力側において前記Ｐａｔｈ  Ｔｒａｃｅ  ＩＤを前記第２の識別情報に付け替えることを特徴とする請求項１１記載のパス管理方法。
【発明の詳細な説明】
【０００１】
【発明の属する技術分野】
本発明はネットワーク、中継装置及びそれらに用いるパス管理方法に関し、特にユーザ端末からのデータ［ｍａｃ（ｍｅｄｉａ  ａｃｃｅｓｓ  ｃｏｎｔｒｏｌ）フレーム（ｆｒａｍｅ）］のパス（送信側エッジ装置から受信側エッジ装置に到達するまでに経由する中継装置）がｍａｃフレーム毎に動的に変更されず、固定帯域（固定経路）が確保されるようなネットワークに関する。
【０００２】
【従来の技術】
通常、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）網においては、セクション（Ｓｅｃｔｉｏｎ）ＩＤ、パス（Ｐａｔｈ）ＩＤを定義して中継セクション間やＥｎｄ−Ｅｎｄのパス間において伝送品質を監視する手段がある。
【０００３】
例えば、ＳＤＨ伝送を行うＳＤＨ端局装置では、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）の勧告で、伝送するＳＤＨフレーム中のＳＯＨ（Ｓｅｃｔｉｏｎ  Ｏｖｅｒ  Ｈｅａｄ）内のＢ１バイトをＯＨ（Ｏｖｅｒ  Ｈｅａｄ）モニタによって監視することで、伝送信号品質を監視している。
【０００４】
また、システムが上記のＳＤＨ端局装置に接続されている場合には、送受信装置内に設けたＯＨモニタによって、上述した処理と同様にして、ＳＤＨフレーム中のＳＯＨ（Ｓｅｃｔｉｏｎ  Ｏｖｅｒ  Ｈｅａｄ）内のＢ１バイトを監視することで、伝送信号品質を監視している。
【０００５】
一方、システムに、トランスポンダからなる送受信装置や光合分波器等からなるノードである波長多重端局装置では、信号の伝送品質を監視する機能がないため、波長多重区間内において伝送品質を監視することができない。そのため、従来の技術では、波長多重端局装置内に信号の伝送品質を監視する機能を設け、障害発生区間を特定する方法が提案されている（例えば、特許文献１参照）。
【０００６】
【特許文献１】
特開２００２−１５２２８６号公報（第２〜５頁、図１）
【０００７】
【発明が解決しようとする課題】
しかしながら、従来のネットワーク、例えばＥｔｈｅｒ（Ｒ）ネットワークでは、Ｅｎｄ−Ｅｎｄのｍａｃフレームのパスを監視する明確な手段が定義されていないため、Ｅｔｈｅｒ（Ｒ）ネットワークにおけるＥｔｈｅｒ（Ｒ）パスの伝送品質を監視することができないという問題がある。
【０００８】
そこで、本発明の目的は上記の問題点を解消し、ネットワーク内のｍａｃフレームが通過するエッジ装置や中継装置間の接続の正常性や伝送品質をチェックすることができるネットワーク、中継装置及びそれらに用いるパス管理方法を提供することにある。
【０００９】
【課題を解決するための手段】
本発明によるネットワークは、送信側のエッジ装置から受信側のエッジ装置に到達するまでに経由する中継装置が固定であり、ユーザ端末からのデータフレーム毎に動的に変更されずに固定帯域が確保されるネットワークであって、
多重された固定長ブロックに対して送出元の中継装置を認識するための第１の識別情報とエラー検出符号とが搭載された多重フレームヘッダを付加する多重フレームヘッダ付加手段と、前記多重フレームヘッダ付加手段にて付加された前記多重フレームヘッダを監視する多重フレームヘッダ終端手段とを前記中継装置に備えている。
【００１０】
本発明による中継装置は、送信側のエッジ装置から受信側のエッジ装置に到達するまでに経由するパスが固定であり、ユーザ端末からのデータフレーム毎に動的に変更されずに固定帯域が確保されるネットワークの中継装置であって、
多重された固定長ブロックに対して送出元のパスを認識するための第１の識別情報とエラー検出符号とが搭載された多重フレームヘッダを付加する多重フレームヘッダ付加手段と、前記多重フレームヘッダ付加手段にて付加された前記多重フレームヘッダを監視する多重フレームヘッダ終端手段とを備えている。
【００１１】
本発明によるパス管理方法は、送信側のエッジ装置から受信側のエッジ装置に到達するまでに経由する中継装置が固定であり、ユーザ端末からのデータフレーム毎に動的に変更されずに固定帯域が確保されるネットワークのパス管理方法であって、
前記中継装置において、多重された固定長ブロックに対して送出元の中継装置を認識するための第１の識別情報とエラー検出符号とが搭載された多重フレームヘッダを付加し、その付加された前記多重フレームヘッダを監視している。
【００１２】
すなわち、本発明のパス管理方法は、Ｅｔｈｅｒ（Ｒ）パス（Ｐａｔｈ）の管理方法に関し、ユーザ（ｕｓｅｒ）からのデータ［ｍａｃ（ｍｅｄｉａ  ａｃｃｅｓｓ  ｃｏｎｔｒｏｌ）フレーム（ｆｒａｍｅ）］のパス（送信側エッジ装置から受信側エッジ装置に到達するまでに経由する中継装置）が固定であり、ｍａｃフレーム毎に動的に変更されず、固定帯域（固定経路）が確保されるようなネットワークにおいて、装置間の接続性監視や伝送品質監視やＥｎｄ−Ｅｎｄ間のＥｔｈｅｒ（Ｒ）パス監視（パスの接続や伝送品質の監視）を可能としている。
【００１３】
本発明が適用されるネットワーク内では、図７に示すようなフォーマットとなっている。このフォーマットにおいて、固定長ブロックとしてはユーザから受信したｍａｃフレームを固定長に分割してヘッダとＣＲＣ（Ｃｙｃｌｉｃ  Ｒｅｄｕｎｄａｎｃｙ  Ｃｈｅｃｋ）とを付加したユーザ固定長ブロック、またはＥｔｈｅｒ（Ｒ）パス監視用の情報を搭載している特殊固定長ブロックの２種があり、多重フレームヘッダは隣接する装置間の監視用の情報を搭載するヘッダである。
【００１４】
以下、本発明のパス管理方法について、例えば、ユーザ端末からのｍａｃフレームが送信側エッジ装置→中継装置Ａ→中継装置Ｂ→受信側エッジ装置のパスが割当てられている場合の動作について説明する。
【００１５】
送信側エッジ装置ではユーザ端末からのｍａｃフレームの受信側エッジ装置までのパス［Ｅｔｈｅｒ（Ｒ）パス］を監視するために、Ｅｔｈｅｒ（Ｒ）パスＩＤを「ａ」とした特殊固定長ブロックを生成する。
【００１６】
また、送信側エッジ装置→中継装置Ａ間のパス［セグメント（ｓｅｇｍｅｎｔ）パス］を監視するためにセグメントパスＩＤを「ｅ」とした多重フレームヘッダを生成して装置内フォーマットのｍａｃフレームを生成して中継装置Ａへ送出する。中継装置Ａでは受信したｍａｃフレームの多重フレームヘッダを参照してセグメントパスＩＤが「ｅ」であるかを検証し、装置間接続の正常性を判定する。
【００１７】
また、特殊固定長ブロックをモニタしてＥｔｈｅｒ（Ｒ）パスＩＤ「ａ」が自装置（中継装置Ａ）を経由することが正しいかを判定し、Ｅｔｈｅｒ（Ｒ）パスの正常性を判定する。多重フレームヘッダは中継装置毎に終端して再生成する。この場合、セグメントパスＩＤは次の出力先の中継装置ＢへのセグメントパスＩＤとなる「ｆ」へ付け替える。
【００１８】
中継装置Ｂにおいても、上記の中継装置Ａと同様の処理を行う。受信側エッジ装置では、受信したｍａｃフレームの多重フレームヘッダを参照してセグメントパスＩＤが「ｇ」であるかを検証し、装置間接続の正常性を判定する。
【００１９】
また、受信側エッジ装置では、特殊固定長ブロックをモニタしてＥｔｈｅｒ（Ｒ）パスＩＤ「ａ」が自装置（受信側エッジ装置）に到達することが正しいかを判定し、Ｅｔｈｅｒ（Ｒ）パスの正常性を判定する。
【００２０】
送信側エッジ装置→中継装置間や中継装置→受信側エッジ装置間においては、多重フレームヘッダのＣＲＣ［またはｍａｃフレームのＦＣＳ（Ｆｒａｍｅ  Ｃｈｅｃｋ  Ｓｅｑｕｅｎｃｅ）］を参照することによって、装置間の伝送品質を管理することが可能である。また、この場合には固定長コアブロックに付加されるＣＲＣの監視を行うことによって、Ｅｔｈｅｒ（Ｒ）パス単位に伝送品質の監視を行うことが可能である。
【００２１】
これによって、本発明のパス管理方法では、ネットワーク内のｍａｃフレームのペイロード内に装置間のパス認識のためのセグメントパスＩＤとＣＲＣ情報とを搭載して各装置にて監視可能とすることによって、ネットワーク内のｍａｃフレームが通過するエッジ装置、中継装置間の接続の正常性や伝送品質のチェックが可能となる。
【００２２】
また、本発明のパス管理方法では、特殊固定長ブロックを定義してＥｔｈｅｒ（Ｒ）パスＩＤとＣＲＣとを搭載することで、ネットワーク内の送信側エッジ装置−受信側エッジ装置間でＥｔｈｅｒ（Ｒ）パスの監視を可能とすることによって、Ｅｔｈｅｒ（Ｒ）パス単位毎に通過経路の正常性や伝送品質のチェックを行うことが可能となる。
【００２３】
【発明の実施の形態】
次に、本発明の実施例について図面を参照して説明する。図１は本発明の一実施例によるネットワークの構成を示すブロック図である。図１において、本発明の一実施例によるネットワークはユーザ端末１−１〜１−ｎ，７−１〜７−ｎと、送信側のエッジ装置２と、中継装置３〜５と、受信側のエッジ装置６とから構成されている。エッジ装置２，６はそれぞれユーザ端末１−１〜１−ｎ，７−１〜７−ｎを収容する。また、この構成例においてはエッジ装置−中継装置間や中継装置−中継装置間の回線速度が全て等しいとは限らない。
【００２４】
図２は本発明の一実施例によるネットワークにおけるパス管理の動作を示す図である。これら図１及び図２を参照して本発明の一実施例によるネットワークのパス管理の動作について説明する。
【００２５】
本発明の一実施例によるネットワークにおいては、ユーザ端末１−１〜１−ｎからのデータ［ｍａｃ（ｍｅｄｉａ  ａｃｃｅｓｓ  ｃｏｎｔｒｏｌ）フレーム（ｆｒａｍｅ）］のパス（送信側のエッジ装置２から受信側のエッジ装置６に到達するまでに経由する中継装置３〜５）が固定であり、ｍａｃフレーム毎に動的に変更されず、固定帯域（固定経路）が確保されることが前提である。
【００２６】
例えば、以下、ユーザ端末１−１からのｍａｃフレームが送信側のエッジ装置２→中継装置３→中継装置４→受信側のエッジ装置６のパスが割当てられている場合について説明する。
【００２７】
送信側のエッジ装置２ではユーザ端末１−１からのｍａｃフレームの受信側のエッジ装置６までのパス［Ｅｔｈｅｒ（Ｒ）パス（ｐａｔｈ）］を監視するために、Ｅｔｈｅｒ（Ｒ）パスＩＤを「ａ」とした特殊固定長ブロックを生成する。また、送信側のエッジ装置２では自装置と中継装置３との間のパス［セグメント（ｓｅｇｍｅｎｔ）パス］を監視するためにセグメントパスＩＤを「ｅ」とした多重フレームヘッダを生成して装置内フォーマットのｍａｃフレームを生成して中継装置３へ送出する。
【００２８】
中継装置３では送信側のエッジ装置２から受信したｍａｃフレームの多重フレームヘッダを参照してセグメントパスＩＤが「ｅ」であるかどうかを検証し、装置間接続の正常性を判定する。また、中継装置３は特殊固定長ブロックをモニタしてＥｔｈｅｒ（Ｒ）パスＩＤ「ａ」が自装置を経由することが正しいかどうかを判定し、Ｅｔｈｅｒ（Ｒ）パスの正常性を判定する。
【００２９】
多重フレームヘッダは中継装置毎に終端して再生成する。つまり、中継装置３はセグメントパスＩＤを、次の出力先の中継装置４へのセグメントパスＩＤとなる「ｆ」へ付け替える。中継装置４においても、上記の中継装置３と同様の処理を行う。
【００３０】
受信側のエッジ装置６では中継装置４から受信したｍａｃフレームの多重フレームヘッダを参照してセグメントパスＩＤが「ｇ」であるかどうかを検証し、装置間接続の正常性を判定する。また、受信側のエッジ装置６は特殊固定長ブロックをモニタしてＥｔｈｅｒ（Ｒ）パスＩＤ「ａ」が自装置に到達することが正しいかどうかを判定し、Ｅｔｈｅｒ（Ｒ）パスの正常性を判定する。
【００３１】
送信側のエッジ装置２と中継装置３との間や中継装置４と受信側のエッジ装置６との間においては、多重フレームヘッダのＣＲＣ（Ｃｙｃｌｉｃ  Ｒｅｄｕｎｄａｎｃｙ  Ｃｈｅｃｋ）［またはｍａｃフレームのＦＣＳ（Ｆｒａｍｅ  Ｃｈｅｃｋ  Ｓｅｑｕｅｎｃｅ）］を参照することによって、装置間の伝送品質を管理することが可能である。また、本実施例では、固定長コアブロックに付加されるＣＲＣの監視を行うことによって、Ｅｔｈｅｒ（Ｒ）パス単位に伝送品質の監視を行うことが可能である。
【００３２】
図３は図１の送信側のエッジ装置２の内部構成を示すブロック図である。図２において、送信側のエッジ装置２は固定長ブロック生成部２１−１〜２１−ｎと、固定長ブロック多重部２２と、多重フレームヘッダ付加部２３−１〜２３−ｍと、ｍａｃフレームヘッダ付加部２４−１〜２４−ｍとから構成されている。
【００３３】
固定長ブロック生成部２１−１〜２１−ｎはユーザ端末１−１〜１−ｎ毎に配設され、ユーザ端末１−１〜１−ｎからのｍａｃフレーム１０１−１〜１０１−ｎを固定長ブロックに分割、またはデータの待ち合わせ処理のためのバッファを有している。
【００３４】
また、固定長ブロック生成部２１−１〜２１−ｎは特殊固定長ブロックに搭載するための情報｛各ユーザ端末１−１〜１−ｎからのｍａｃフレーム１０１〜１０ｎのネットワーク内でのパス［Ｅｔｈｅｒ（Ｒ）パス］を識別するためのＩＤ［Ｅｔｈｅｒ（Ｒ）パスＩＤ］や送信側のエッジ装置２の警報等の情報｝を有している。
【００３５】
固定長ブロック多重部２２は宛先中継装置毎に固定長ブロックを多重するために、各ユーザ端末１−１〜１−ｎからのｍａｃフレーム１０１〜１０ｎの宛先中継装置を示す情報と、固定長ブロックの多重位置を示す情報とを有している。
【００３６】
多重フレームヘッダ付加部２３−１〜２３−ｍは宛先中継装置（またはエッジ装置）毎に配設され、多重された固定長ブロックに付加するための多重フレームヘッダ情報［送出先の中継装置（パス）を認識するためのＩＤ（セグメントパスＩＤ）やパケット落ちを監視するためのシーケンス番号等］を有している。
【００３７】
ｍａｃフレームヘッダ付加部２４−１〜２４−ｍは多重フレームをｍａｃフレームとして出力するためにｍａｃフレームのヘッダ情報［ＤＡ（Ｄｅｓｔｉｎａｔｉｏｎ  Ａｄｄｒｅｓｓ）、ＳＡ（Ｓｏｕｒｃｅ  Ａｄｄｒｅｓｓ）等］の情報を有している。
【００３８】
図４は図１の中継装置３の内部構成を示すブロック図である。図４において、中継装置３はｍａｃフレームヘッダ終端部３１−１〜３１−ｍと、多重フレームヘッダ終端部３２−１〜３２−ｍと、固定長ブロック分離部３３と、固定長ブロックモニタ部３４−１〜３４−ｎと、固定長ブロック多重部３５と、多重フレームヘッダ付加部３６−１〜３６−ｍと、ｍａｃフレームヘッダ付加部３７−１〜３７−ｍとから構成されている。
【００３９】
ｍａｃフレームヘッダ終端部３１−１〜３１−ｍは収容ポート（ｐｏｒｔ）毎に配設されている。多重フレームヘッダ終端部３２−１〜３２−ｍは多重フレームヘッダを監視するために、多重フレームヘッダ情報に関する情報［送出元の中継装置（パス）を認識するためのＩＤ（セグメントパスＩＤ）等］を有している。
【００４０】
固定長ブロック分離部３３は収容ポート毎に受信された固定長ブロックを送出元ユーザ端末単位に分離するために収容ポートと固定長ブロックの多重位置とから送出元ユーザ端末を特定する情報を有している。
【００４１】
固定長ブロックモニタ部３４−１〜３４−ｎでは固定長ブロックの種別（ユーザ固定長ブロック、特殊固定長ブロック）を認識し、固定長ブロック（ｍａｃフレーム）のパスの監視を行うために有効なＥｔｈｅｒ（Ｒ）パスＩＤの情報を有している。
【００４２】
また、固定長ブロックモニタ部３４−１〜３４−ｎは固定長ブロックのＣＲＣを監視し、Ｅｔｈｅｒ（Ｒ）パス毎にエラーの有無やエラー数をカウントするためのカウンタ（図示せず）を有している。
【００４３】
固定長ブロック多重部３５は宛先中継装置毎に固定長ブロックを多重するために、各ユーザ端末１−１〜１−ｎからのｍａｃフレームの宛先中継装置を示す情報と、固定長ブロックの多重位置を示す情報とを有している。
【００４４】
多重フレームヘッダ付加部３６−１〜３６−ｍは宛先中継装置（またはエッジ装置）毎に配設され、多重された固定長ブロックに付加するための多重フレームヘッダ情報［送出先の中継装置（パス）を認識するためのＩＤ（セグメントパスＩＤ）やパケット落ちを監視するためのシーケンス番号等］を有している。
【００４５】
ｍａｃフレームヘッダ付加部３７−１〜３７−ｍは多重フレームをｍａｃフレームとして出力するためにｍａｃフレームのヘッダ情報（ＤＡ、ＳＡ等）の情報を有している。尚、図示していないが、中継装置４，５の内部構成及び動作は上記の中継装置３の内部構成及び動作と同様である。
【００４６】
図５は図１の受信側のエッジ装置６の内部構成を示すブロック図である。図５において、受信側のエッジ装置６はｍａｃフレームヘッダ終端部６１−１〜６１−ｍと、多重フレームヘッダ終端部６２−１〜６２−ｍと、固定長ブロック分離部６３と、固定長ブロック監視部６４−１〜６４−ｎと、ｍａｃフレーム再生部６５−１〜６５−ｎとから構成されている。
【００４７】
ｍａｃフレームヘッダ終端部６１−１〜６１−ｍは収容ポート毎に配設されている。多重フレームヘッダ終端部６２−１〜６２−ｍは多重フレームヘッダを監視するために、多重フレームヘッダ情報に関する情報［送出元の中継装置（パス）を認識するためのＩＤ（セグメントパスＩＤ）等）を有している。
【００４８】
固定長ブロック分離部６３は収容ポート毎に受信された固定長ブロックを送出元ユーザ端末単位に分離するために、収容ポートと固定長ブロックの多重位置とから送出元ユーザ端末を特定する情報を有している。
【００４９】
固定長ブロック監視部６４−１〜６４−ｎでは固定長ブロックの種別（ユーザ固定長ブロック、特殊固定長ブロック）を認識し、固定長ブロック（ｍａｃフレーム）のパスの監視をするために、有効なＥｔｈｅｒ（Ｒ）パスＩＤの情報を有している。
【００５０】
また、固定長ブロック監視部６４−１〜６４−ｎは固定長ブロックのＣＲＣを監視し、Ｅｔｈｅｒ（Ｒ）パス毎にエラーの有無やエラー数をカウントするためのカウンタ（図示せず）を有している。ｍａｃフレーム再生部６５−１〜６５−ｎはｍａｃフレームを再生するための情報（固定長ブロックの種別等）を有している。
【００５１】
図６（ａ）は本発明の一実施例によって用いられるユーザ固定長ブロックを示す図であり、図６（ｂ）は本発明の一実施例によって用いられる特殊固定長ブロックを示す図である。
【００５２】
図６（ａ）にはユーザ端末から入力されるｍａｃフレームが分割される様子を示している。ユーザ端末から入力されたｍａｃフレームは固定長のブロック（＃１〜＃ｊ）に分割され、各ブロック（＃１〜＃ｊ）毎にヘッダとＣＲＣ情報とが付加されてユーザ固定長ブロックとなる。
【００５３】
図６（ｂ）は特殊固定長ブロックを示しており、ユーザ固定長ブロックのペイロード（Ｐａｙｌｏａｄ）に当たる部分［Ｅｔｈｅｒ（Ｒ）パス監視用領域］にＥｔｈｅｒ（Ｒ）パス監視用のＥｔｈｅｒ（Ｒ）パスＩＤが挿入されている。このＥｔｈｅｒ（Ｒ）パス監視用領域にヘッダとＣＲＣ情報とが付加されて特殊固定長ブロックとなる。この場合、ヘッダにはユーザ固定長ブロック及び特殊固定長ブロックの２種の固定長ブロックを区別するための情報が搭載される。
【００５４】
図７は本発明の一実施例によるネットワークにおける各装置間のフレームフォーマットを示す図である。図７において、フレームはｍａｃフレームであるが、ペイロード中に多重フレームヘッダ（セグメントパスＩＤ）と固定長ブロックとがユーザ端末１−１からユーザ端末１−ｎまで順番に多重した形態（ユーザ＃１〜ユーザ＃ｎ）で収容されている。
【００５５】
固定長ブロックにはｍａｃフレームを固定長に分割したデータだけではなく、ユーザ端末からのｍａｃフレームのネットワーク内のパス［Ｅｔｈｅｒ（Ｒ）パス］を示すＩＤ［Ｅｔｈｅｒ（Ｒ）パスＩＤ］や送信側のエッジ装置２の警報等の情報を収容する特殊固定長ブロックが定義される。
【００５６】
固定長ブロックのヘッダ（図６参照）には種別（ユーザデータの固定長ブロック、特殊固定長ブロック）を認識するための情報を搭載する。また、固定長ブロックの最後にＣＲＣ情報を搭載する。多重フレームヘッダには送出先の中継装置（パス）を認識するためのＩＤ（セグメントパスＩＤ）やパケット落ちを監視するためのシーケンス番号、ヘッダの有効性を判定するためのＣＲＣ等が搭載されている。
【００５７】
これら図１〜図７を参照して本発明の一実施例によるネットワークを構成する送信側のエッジ装置２、中継装置３〜５、受信側のエッジ装置６各々の動作について説明する。
【００５８】
まず、送信側のエッジ装置２の動作について説明する。ユーザ端末１−１〜１−ｎからのｍａｃフレーム１０１−１〜１０１−ｎはそれぞれ固定長ブロック生成部２１−１〜２１−ｎに入力される。
【００５９】
固定長ブロック生成部２１−１〜２１−ｎでは受信したｍａｃフレーム１０１−１〜１０１−ｎを図６に示すようなブロックに分割する。分割するサイズは固定長で、最後のブロックが固定長サイズに満たない場合には無効なデータをＰａｄｄｉｎｇして固定長サイズに合わせる。
【００６０】
これらのブロックにはブロックの種別（ユーザ固定長ブロック、特殊固定長ブロック）情報とＣＲＣ情報とを付加して固定長ブロックを生成する。また、ユーザ端末１−１〜１−ｎからのｍａｃフレーム１０１−１〜１０１−ｎのネットワーク内のパス［Ｅｔｈｅｒ（Ｒ）パス］を示すＩＤ［Ｅｔｈｅｒ（Ｒ）パスＩＤ］や送信側のエッジ装置２の警報等の情報を収容する特殊固定長ブロックの生成も行う。
【００６１】
固定長ブロック生成部２１−１〜２１−ｎで生成された固定長ブロックの送出は、固定長ブロック多重部２２からの出力指示２０１−１〜２０１−ｎによって行う。特殊固定長ブロックの出力は、周期的に行う場合や送出するユーザ固定長ブロックがない時に行う場合等が考えられる。
【００６２】
固定長ブロック多重部２２は固定長ブロック生成部２１−１〜２１−ｎに固定長ブロックの出力指示２０１−１〜２０１−ｎを行い、固定長ブロック生成部２１−１〜２１−ｎから送られてきた固定長ブロック２０２−１〜２０２−ｎの多重処理を行う。固定長ブロックの多重は宛先ポート毎に行う。
【００６３】
中継装置３〜５や送信側のエッジ装置２、及び受信側のエッジ装置６では多重されている位置でユーザ端末を認識するために、共通的な多重位置情報を有している必要がある。そのため、固定長ブロック多重部２２ではこの情報にしたがって、固定長ブロックの出力指示２０１−１〜２０１−ｎを行う。
【００６４】
多重フレームヘッダ付加部２３−１〜２３−ｍでは多重された固定長ブロックに対して多重フレームヘッダを付加する。多重フレームヘッダには送出元の中継装置（パス）を認識するためのＩＤ（セグメントパスＩＤ）とＣＲＣとが搭載される。
【００６５】
ｍａｃフレームヘッダ付加部２４−１〜２４−ｍでは受信した多重フレームヘッダ＋多重固定長ブロック（多重フレーム）に対してｍａｃフレームのヘッダを付加してｍａｃフレーム２０５−１２０５−ｍを生成して送出する。
【００６６】
続いて、中継装置３の動作について説明する。中継装置３で受信されたｍａｃフレーム（ユーザ多重形態）３０１−１〜３０１−ｍはｍａｃフレームヘッダ終端部３１−１〜３１−ｍに入力される。
【００６７】
ｍａｃフレームヘッダ終端部３１−１〜３１−ｍは入力されたｍａｃフレーム（ユーザ多重形態）３０１−１〜３０１−ｍのヘッダの終端処理を行った後、ｍａｃフレームヘッダの終端処理後の多重フレームを多重フレームヘッダ終端部３２−１〜３２−ｍへ送出する。
【００６８】
多重フレームヘッダ終端部３２−１〜３２−ｍでは多重フレームヘッダに付加されているセグメントパスＩＤをチェックし、装置間接続の正常性を判定する。また、多重フレームヘッダ終端部３２−１〜３２−ｍは多重フレームヘッダに付加されているＣＲＣ［ｍａｃフレームのＦＣＳ（Ｆｒａｍｅ  Ｃｈｅｃｋ  Ｓｅｑｕｅｎｃｅ）でも可］を監視して装置間の伝送品質の監視も行う。
【００６９】
固定長ブロック分離部３３では多重フレームヘッダ終端部３２−１〜３２−ｍから受信した多重固定長ブロック３０３−１〜３０３−ｍを固定長ブロック単位にユーザ端末毎に分離して固定長ブロックモニタ部３４−１〜３４−ｎに送出する。
【００７０】
ユーザ端末毎に固定長ブロックを分離する処理は多重されている位置でユーザ端末を認識するために、中継装置３〜５や送信側のエッジ装置２、及び受信側のエッジ装置６で共通的な多重位置情報を有している必要がある。そのため、固定長ブロック分離部３３ではこの情報によって分離処理を行う。
【００７１】
固定長ブロックモニタ部３４−１〜３４−ｎではユーザ端末単位に受信した固定長ブロックの監視を行う。固定長ブロックの監視はヘッダに付加されているＥｔｈｅｒ（Ｒ）パスＩＤをチェックし、Ｅｔｈｅｒ（Ｒ）パスの正常性を判定することと、ＣＲＣの監視とを行う。
【００７２】
固定長ブロック多重部３５では固定長ブロックモニタ部３４−１〜３４−ｎに対して固定長ブロックの出力指示３０５−１〜３０５−ｎを行い、固定長ブロックモニタ部３４−１〜３４−ｎから送られてくる固定長ブロック３０６−１〜３０６−ｎの多重処理を行う。固定長ブロックの多重は宛先ポート毎に行う。
【００７３】
中継装置３〜５や送信側のエッジ装置２、及び受信側のエッジ装置６では多重されている位置でユーザ端末を認識するために共通的な多重位置情報を有している必要がある。そのため、固定長ブロック多重部３５ではこの情報にしたがって固定長ブロックの出力指示３０５−１〜３０５−ｎを行う。
【００７４】
多重フレームヘッダ付加部３６−１〜３６−ｍでは固定長ブロック多重部３５で多重された固定長ブロック３０７−１〜３０７−ｍに対して多重フレームヘッダを付加する。多重フレームヘッダには送出元の中継装置（パス）を認識するためのＩＤ（セグメントパスＩＤ）とＣＲＣとが搭載される。
【００７５】
ｍａｃフレームヘッダ付加部３７−１〜３７−ｍでは多重フレームヘッダ付加部３６−１〜３６−ｍから受信した多重フレームヘッダ＋多重固定長ブロック（多重フレーム３０８−１〜３０８−ｍ）に対してｍａｃフレームのヘッダを付加してｍａｃフレーム（ユーザ多重）３０９−１〜３０９−ｍを生成して送出する。
【００７６】
最後に、受信側のエッジ装置６の動作について説明する。受信側のエッジ装置６で受信されたｍａｃフレーム（ｕｓｅｒ多重形態）６０１−１〜６０１−ｎはｍａｃフレームヘッダ終端部６１−１〜６１−ｍに入力される。
【００７７】
ｍａｃフレームヘッダ終端部６１−１〜６１−ｍは入力されたｍａｃフレーム（ｕｓｅｒ多重形態）６０１−１〜６０１−ｎのヘッダの終端処理を行った後、ｍａｃフレームヘッダの終端処理後の多重フレーム６０２−１〜６０２−ｍを多重フレームヘッダ終端部６２−１〜６２−ｍへ送出する。
【００７８】
多重フレームヘッダ終端部６２−１〜６２−ｍでは多重フレーム６０２−１〜６０２−ｍのヘッダに付加されているセグメントパスＩＤをチェックし、装置間接続の正常性を判定する。また、多重フレームヘッダ終端部６２−１〜６２−ｍは多重フレーム６０２−１〜６０２−ｍのヘッダに付加されているＣＲＣ（ｍａｃフレームのＦＣＳでも可）を監視し、装置間の伝送品質の監視も行う。
【００７９】
固定長ブロック分離部６３では多重フレームヘッダ終端部６２−１〜６２−ｍから受信した多重固定長ブロック６０３−１〜６０３−ｍを固定長ブロック単位にユーザ端末毎に分離し、分離した固定長ブロック６０４−１〜６０４−ｎを固定長ブロック監視部６４−１〜６４−ｎに送出する。ユーザ端末毎に固定長ブロックを分離する処理は多重されている位置でユーザ端末を認識するために、中継装置３〜５や送信側のエッジ装置２、及び受信側のエッジ装置６で共通的な多重位置情報を有している必要がある。そのため、固定長ブロック分離部６３ではこの情報によって分離処理を行う。
【００８０】
固定長ブロック監視部６４−１〜６４−ｎでは、ユーザ端末単位に受信した固定長ブロックブロック６０４−１〜６０４−ｎの監視を行う。固定長ブロックの監視はヘッダに付加されているＥｔｈｅｒ（Ｒ）パスＩＤをチェックしてＥｔｈｅｒ（Ｒ）パスの正常性を判定することと、ＣＲＣの監視とを行う。
【００８１】
ｍａｃフレーム再生部６５−１〜６５−ｎでは、送信側のエッジ装置２にて受信したｍａｃフレーム６０１−１〜６０１−ｎの形態に再生する処理を行う。
【００８２】
このように、本実施例では、ネットワーク内のｍａｃフレームのペイロード内に装置間のパス認識のためのセグメントパスＩＤとＣＲＣ情報とを搭載して各装置にて監視可能とすることによって、ネットワーク内のｍａｃフレームが通過するエッジ装置、中継装置間の接続の正常性や伝送品質のチェックを行うことができる。
【００８３】
また、本実施例では、特殊固定長ブロックを定義してＥｔｈｅｒ（Ｒ）パスＩＤとＣＲＣとを搭載することで、ネットワーク内の送信側のエッジ装置２と受信側のエッジ装置６間でＥｔｈｅｒ（Ｒ）パスの監視を行うことによって、Ｅｔｈｅｒ（Ｒ）パス単位毎に通過経路の正常性や伝送品質のチェックを行うことができる。
【００８４】
尚、上述した本実施例では固定長ブロックをユーザ固定長ブロック及び特殊固定長ブロックの２種類定義しており、固定長ブロックのヘッダにて種別を認識しているが、固定長ブロックをユーザ固定長ブロックの１種類とし、Ｅｎｄ−ＥｎｄのＥｔｈｅｒ（Ｒ）パス監視用のＩＤを固定長ブロックのヘッダに定義する。これによって、ユーザ固定長ブロックを送出する時には、常に、Ｅｔｈｅｒ（Ｒ）パスＩＤも送出されることになる。
【００８５】
この変更は送信側のエッジ装置２における固定長ブロック生成部２１−１〜２１−ｎにてユーザ固定長ブロックのヘッダにＥｔｈｅｒ（Ｒ）パスＩＤを挿入するように変更し、中継装置３〜５の固定長ブロックモニタ部３４−１〜３４−ｎまたは受信側のエッジ装置６の固定長ブロック監視部６４−１〜６４−ｎにてユーザ固定長ブロックのヘッダにてＥｔｈｅｒ（Ｒ）パスＩＤを監視するように変更することで実現可能である。
【００８６】
図８は本発明の他の実施例によるネットワークの構成を示すブロック図である。図８において、本発明の他の実施例によるネットワークは中継装置［ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）  ＩＮＳ］９−１，９−２と中継装置（ＳＯＮＥＴ／ＳＤＨ  ＤＥＴ）９−３，９−４とを追加し、ＳＯＮＥＴ／ＳＤＨ網１００（ＳＯＮＥＴ／ＳＤＨ中継装置１０−１〜１０−４）を介して通信する形態とした以外は図１に示す本発明の一実施例によるネットワークと同様である。尚、中継装置８−１〜８−４は図１における中継装置３〜５と同様である。
【００８７】
図９は本発明の他の実施例によるネットワークのパス管理の動作を示す図である。図９において、本発明の他の実施例によるネットワークの形態では、送信側のエッジ装置２から中継装置（ＳＯＮＥＴ／ＳＤＨ  ＩＮＳ）９−１，９−２までの区間と、中継装置（ＳＯＮＥＴ／ＳＤＨ  ＤＥＴ）９−３，９−４から受信側のエッジ装置６までの区間とが本発明の一実施例と同様にして監視可能である。
【００８８】
中継装置（ＳＯＮＥＴ／ＳＤＨ  ＩＮＳ）９−１，９−２から中継装置（ＳＯＮＥＴ／ＳＤＨ  ＤＥＴ）９−３，９−４までの区間は従来のＳＯＮＥＴ／ＳＤＨ網におけるＰａｔｈ  Ｔｒａｃｅ  ＩＤにてパス監視を行う。ＳＯＮＥＴ／ＳＤＨ中継装置１０−１〜１０−４、中継装置（ＳＯＮＥＴ／ＳＤＨ  ＤＥＴ）９−３，９−４の各中継装置ではＰａｔｈ  Ｔｒａｃｅ  ＩＤのモニタを行う。
【００８９】
中継装置（ＳＯＮＥＴ／ＳＤＨ  ＩＮＳ）９−１，９−２、ＳＯＮＥＴ／ＳＤＨ中継装置１０−１〜１０−４、中継装置（ＳＯＮＥＴ／ＳＤＨ  ＤＥＴ）９−３，９−４の各中継装置間の監視はＳｅｃｔｉｏｎ  Ｔｒａｃｅ  ＩＤを使用して監視を行う。
【００９０】
図１０は図９の中継装置（ＳＯＮＥＴ／ＳＤＨ  ＩＮＳ）９−１，９−２の内部構成を示すブロック図である。図１０において、中継装置（ＳＯＮＥＴ／ＳＤＨ  ＩＮＳ）９−１，９−２はｍａｃフレームヘッダ終端部９１−１〜９１−ｍと、多重フレームヘッダ終端部９２−１〜９２−ｍと、固定長ブロック分離部９３と、固定長ブロックモニタ部９４−１〜９４−ｎと、固定長ブロック多重部９５と、多重フレームヘッダ付加部９６−１〜９６−ｍと、ｍａｃフレームヘッダ付加部９７−１〜９７−ｍと、ＳＴＭ（Ｓｙｎｃｈｒｏｎｏｕｓ  Ｔｒａｎｓｐｏｒｔ  Ｍｏｄｕｌｅ）マッピング部９８−１〜９８−ｍとから構成されている。
【００９１】
ここで、中継装置（ＳＯＮＥＴ／ＳＤＨ  ＩＮＳ）９−１，９−２において、ＳＴＭマッピング部９８−１〜９８−ｍ以外のブロックに関しては、図４に示す中継装置３〜５の内部ブロックの機能と同様である。
【００９２】
ＳＴＭマッピング部９８−１〜９８−ｍはｍａｃフレームヘッダ付加部９７−１〜９７−ｍから受信したｍａｃフレームをＳＯＮＥＴ／ＳＤＨのパスに割り付け、各種ＳＯＮＥＴ／ＳＤＨヘッダを付加してＳＯＮＥＴ／ＳＤＨフレームデータとして出力する。
【００９３】
したがって、ＳＴＭマッピング部９８−１〜９８−ｍはｍａｃフレームをＳＯＮＥＴ／ＳＤＨのパスに割り付けるのに一時蓄積を行うが、この一時蓄積のためにｍａｃフレーム待ち合わせ用のバッファ（図示せず）を有している。ＳＴＭマッピング部９８−１〜９８−ｍを中継装置に付加することによって、ｍａｃフレームはＳＯＮＥＴ／ＳＤＨ網１００において転送可能となる。
【００９４】
図１１は図９の中継装置（ＳＯＮＥＴ／ＳＤＨ  ＤＥＴ）９−３，９−４の内部構成を示すブロック図である。図１１において、中継装置（ＳＯＮＥＴ／ＳＤＨ  ＤＥＴ）９−３，９−４はＳＴＭデマッピング部１１１−１〜１１１−ｍと、ｍａｃフレームヘッダ終端部１１２−１〜１１２−ｍと、多重フレームヘッダ終端部１１３−１〜１１３−ｍと、固定長ブロック分離部１１４と、固定長ブロックモニタ部１１５−１〜１１５−ｎと、固定長ブロック多重部１１６と、多重フレームヘッダ付加部１１７−１〜１１７−ｍと、ｍａｃフレームヘッダ付加部１１８−１〜１１８−ｍとから構成されている。
【００９５】
ここで、中継装置（ＳＯＮＥＴ／ＳＤＨ  ＤＥＴ）９−３，９−４において、ＳＴＭデマッピング部１１１−１〜１１１−ｍ以外のブロックに関しては、図４に示す中継装置３〜５の内部ブロックの機能と同様である。
【００９６】
ＳＴＭデマッピング部１１１−１〜１１１−ｍはＳＯＮＥＴ／ＳＤＨの各種ヘッダの終端処理とパス毎のデータの抽出とを行い、そこからｍａｃフレームを検出する処理を行う。したがって、ＳＴＭデマッピング部１１１−１〜１１１−ｍはパス毎のデータからｍａｃフレームを検出するために主信号待ち合わせ用のバッファ（図示せず）を有している。
【００９７】
本実施例では、送信側のエッジ装置２から中継装置（ＳＯＮＥＴ／ＳＤＨ  ＩＮＳ）９−１，９−２までの区間と、中継装置（ＳＯＮＥＴ／ＳＤＨ  ＤＥＴ）９−３，９−４から受信側のエッジ装置６までの区間とがセグメントパスＩＤとＥｔｈｅｒ（Ｒ）パスＩＤとによってパス監視を行い、ＳＯＮＥＴ／ＳＤＨ網１００内のパス監視に関しては、従来のＳｅｃｔｉｏｎ  Ｔｒａｃｅ  ＩＤ、Ｐａｔｈ  Ｔｒａｃｅ  ＩＤによる監視を行うことによって、送信側のエッジ装置２から受信側のエッジ装置６までの全区間においてパス監視が可能となる。
【００９８】
図１２は本発明の別の実施例によるネットワークの動作を示す図である。図１２において、本発明の別の実施例によるネットワークでは中継装置（ＳＯＮＥＴ／ＳＤＨ  ＩＮＳ）９−１，９−２、中継装置（ＳＯＮＥＴ／ＳＤＨ  ＤＥＴ）９−３，９−４を追加し、ＳＯＮＥＴ／ＳＤＨ網１００を介して通信する形態とした以外は図１に示す本発明の一実施例によるネットワークと同様である。尚、中継装置８−１〜８−４は図１に示す中継装置３〜５と同様である。
【００９９】
本発明の別の実施例によるネットワークの形態では、送信側のエッジ装置２から中継装置（ＳＯＮＥＴ／ＳＤＨ  ＩＮＳ）９−１，９−２までの区間と、中継装置（ＳＯＮＥＴ／ＳＤＨ  ＤＥＴ）９−３，９−４から受信側のエッジ装置６までの区間とが本発明の一実施例と同様にして監視可能である。
【０１００】
本実施例の基本的な構成は図９に示す本発明の他の実施例によるネットワークと同様であるが、本実施例では中継装置（ＳＯＮＥＴ／ＳＤＨ  ＩＮＳ）９−１，９−２において、Ｅｔｈｅｒ（Ｒ）パスＩＤをＳＯＮＥＴ／ＳＤＨ網１００におけるＰａｔｈ  Ｔｒａｃｅ  ＩＤに乗せ換えを行い、中継装置（ＳＯＮＥＴ／ＳＤＨ  ＤＥＴ）９−３，９−４ではＰａｔｈ  Ｔｒａｃｅ  ＩＤをＥｔｈｅｒ（Ｒ）パスＩＤに乗せ換えを行う形態をとっている。
【０１０１】
本実施例では上記の処理を行うために、本発明の他の実施例における中継装置（ＳＯＮＥＴ／ＳＤＨ  ＩＮＳ）９−１，９−２のＳＴＭマッピング部９８−１〜９８−ｍにおいて特殊固定長ブロックを参照してＥｔｈｅｒ（Ｒ）パスＩＤをＰａｔｈ  Ｔｒａｃｅ  ＩＤに付け替える機能が追加となる。
【０１０２】
また、本実施例では本発明の他の実施例における中継装置（ＳＯＮＥＴ／ＳＤＨ  ＤＥＴ）９−３，９−４のＳＴＭデマッピング部１１１−１〜１１１−ｍにおいてＰａｔｈ  Ｔｒａｃｅ  ＩＤをＥｔｈｅｒ（Ｒ）パスＩＤに付け替える機能が追加となる。
【０１０３】
本実施例では、上記のような運用を行うことによって、送信側のエッジ装置２からＳＯＮＥＴ／ＳＤＨ網１００を経由して受信側のエッジ装置６までの区間が同一のＥｔｈｅｒ（Ｒ）パスＩＤによってパス監視が可能となる。セグメントパスＩＤとＳｅｃｔｉｏｎ  Ｔｒａｃｅ  ＩＤとによる監視は上述した本発明の他の実施例と同様である。
【０１０４】
【発明の効果】
以上説明したように本発明は、上記のような構成及び動作（運用）とすることで、ネットワーク内のｍａｃフレームが通過するエッジ装置や中継装置間の接続の正常性や伝送品質をチェックすることができるという効果が得られる。
【図面の簡単な説明】
【図１】本発明の一実施例によるネットワークの構成を示すブロック図である。
【図２】本発明の一実施例によるネットワークにおけるパス管理の動作を示す図である。
【図３】図１の送信側のエッジ装置の内部構成を示すブロック図である。
【図４】図１の中継装置の内部構成を示すブロック図である。
【図５】図１の受信側のエッジ装置の内部構成を示すブロック図である。
【図６】（ａ）は本発明の一実施例によって用いられるユーザ固定長ブロックを示す図、（ｂ）は本発明の一実施例によって用いられる特殊固定長ブロックを示す図である。
【図７】本発明の一実施例によるネットワークにおける各装置間のフレームフォーマットを示す図である。
【図８】本発明の他の実施例によるネットワークの構成を示すブロック図である。
【図９】本発明の他の実施例によるネットワークのパス管理の動作を示す図である。
【図１０】図９の中継装置（ＳＯＮＥＴ／ＳＤＨ  ＩＮＳ）の内部構成を示すブロック図である。
【図１１】図９の中継装置（ＳＯＮＥＴ／ＳＤＨ  ＤＥＴ）の内部構成を示すブロック図である。
【図１２】本発明の別の実施例によるネットワークのパス管理の動作を示す図である。
【符号の説明】
１−１〜１−ｎ，
７−１〜７−ｎ  ユーザ端末
２  送信側のエッジ装置
３〜５，８−１〜８−４  中継装置
６  受信側のエッジ装置
９−１，９−２  中継装置（ＳＯＮＥＴ／ＳＤＨ  ＩＮＳ）
９−３，９−４  中継装置（ＳＯＮＥＴ／ＳＤＨ  ＤＥＴ）
１０−１〜１０−４  ＳＯＮＥＴ／ＳＤＨ中継装置
２１−１〜２１−ｎ  固定長ブロック生成部
２２  固定長ブロック多重部
２３−１〜２３−ｍ，
３６−１〜３６−ｍ，
９６−１〜９６−ｍ，
１１７−１〜１１７−ｍ  多重フレームヘッダ付加部
２４−１〜２４−ｍ，
３７−１〜３７−ｍ，
９７−１〜９７−ｍ，
１１８−１〜１１８−ｍ  ｍａｃフレームヘッダ付加部
３１−１〜３１−ｍ，
６１−１〜６１−ｍ，
９１−１〜９１−ｍ，
１１２−１〜１１２−ｍ  ｍａｃフレームヘッダ終端部
３２−１〜３２−ｍ，
６２−１〜６２−ｍ，
９２−１〜９２−ｍ，
１１３−１〜１１３−ｍ  多重フレームヘッダ終端部
３３，６３，９３，１１４  固定長ブロック分離部
３４−１〜３４−ｎ，
９４−１〜９４−ｎ，
１１５−１〜１１５−ｎ  固定長ブロックモニタ部
３５，９５，１１６  固定長ブロック多重部
６４−１〜６４−ｎ  固定長ブロック監視部
６５−１〜６５−ｎ  ｍａｃフレーム再生部
９８−１〜９８−ｍ  ＳＴＭマッピング部
１００  ＳＯＮＥＴ／ＳＤＨ網
１１１−１〜１１１−ｍ  ＳＴＭデマッピング部
【図１】
2004328173.tif 000003
【図２】
2004328173.tif 000004
【図３】
2004328173.tif 000005
【図４】
2004328173.tif 000006
【図５】
2004328173.tif 000007
【図６】
2004328173.tif 000008
【図７】
2004328173.tif 000009
【図８】
2004328173.tif 000010
【図９】
2004328173.tif 000011
【図１０】
2004328173.tif 000012
【図１１】
2004328173.tif 000013
【図１２】
2004328173.tif 000014